(57)【要約】      （修正有）【課題】封筒として使用できるとともに、一覧性を備えた閲覧用ファイルとして保管可能な封筒兼用ファイルを提供する。【解決手段】  蓋部３と表面側形成部６と天面形成部４を有し、表面側形成部６は、宛先ラベルを貼り付け可能であり、天面形成部４に収納部２内の被収納物に関する情報を表示可能であり、蓋部３に送付者に関する情報を記載可能である構成する。こうすることによって、封筒としての機能と閲覧ファイルとしての機能を充足することができる。【選択図】図２
0003185375.tif 000002
【実用新案登録請求の範囲】
【請求項１】
外形形状が長方形状の封筒兼用ファイルであって、本状又は紙状の被収納物を封緘可能な封筒兼用ファイルにおいて、
２つの主面を形成する表面部及び裏面部と、側面を形成する側面部を有し、
前記表面部は、宛先ラベルを貼り付け可能であり、
前記側面部に被収納物に関する情報を表示可能であり、
表面部又は裏面部の少なくとも一方に送付者に関する情報を記載可能であることを特徴とする封筒兼用ファイル。
【請求項２】
前記被収納物を内包可能な収納部と、前記収納部と連続する蓋部を有し、
前記蓋部は、封緘する際に、収納部の内部を閉鎖するものであり、
前記蓋部は、容易に破断可能な開封部と、収納部に接着可能な接着部を有し、
前記開封部は、前記収納部と前記接着部との間に位置しており、かつ、基端から先端に向かう方向に対して交差する方向に蓋部全体を横切っていることを特徴とする請求項１に記載の封筒兼用ファイル。
【請求項３】
前記収納部は、前記表面部の一部又は全部を形成する表面側形成部と、当該表面側形成部と対面する裏面側形成部を有し、
表面側形成部と裏面側形成部の少なくとも３辺の大部分を接続する接続壁部を有していることを特徴とする請求項２に記載の封筒兼用ファイル。
【請求項４】
前記開封部を破断した際に、
前記裏面側形成部は、蓋部の当該破断部位と係合可能な係合片を有していることを特徴とする請求項３に記載の封筒兼用ファイル。
【請求項５】
前記裏面側形成部は、前記３辺以外の辺から中央に向かって切り欠いた切り欠き部を備えていることを特徴とする請求項３又は４に記載の封筒兼用ファイル。
【請求項６】
外形形状が長方形状の封筒兼用ファイルであって、
本状又は紙状の被収納物を封緘可能な封筒兼用ファイルにおいて、
２つの主面を形成する表面部及び裏面部と、側面を形成する側面部を有し、
前記表面部は、宛先ラベルを貼り付け可能であり、
側面部に被収納物に関する情報を記載されており、
表面部又は裏面部の少なくとも一方に送付者に関する情報を記載されており、
前記被収納物を内包可能な収納部と、前記収納部と連続する蓋部を有し、
前記蓋部は、封緘する際に、収納部の内部を閉鎖するものであって、容易に破断可能な開封部と、収納部に接着する両面テープを有し、
前記開封部は、前記収納部と前記両面テープとの間に位置しており、かつ、基端から先端に向かう方向に対して直交する方向に蓋部全体を横切っており、
前記収納部は、前記表面部の一部又は全部を形成する表面側形成部と、当該表面側形成部と対面する裏面側形成部を有し、
表面側形成部と裏面側形成部の少なくとも３辺の大部分を接続する接続壁部を有しており、
前記裏面側形成部は、前記開封部を破断した際に、蓋部の当該破断部位と係合可能な係合片を有しており、さらに前記３辺以外の辺から中央に向かって切り欠いた切り欠き部を備えている封筒兼用ファイル。
【考案の詳細な説明】
【技術分野】
【０００１】
本考案は、封筒として使用できるとともに送付後において閲覧用ファイルとして機能する封筒兼用ファイルに関するものである。
【背景技術】
【０００２】
専門学校や大学等（以下、専門学校等ともいう）では、多くの学生に自校について興味を持ってもらい、より多くの学生に入学してもらうために、高等学校の教師や塾講師（以下、高等学校の教師等ともいう）に向けた入学案内等の入学希望者向けのパンフレット等の資料を多数作成している。また、企業においても、多くの学生に自社について興味を持ってもらい、より多くの学生の中からより優秀な人材を確保するために、高等学校の教師等に向けた自社案内等のパンフレット等の資料を多数作成している。
【０００３】
このような専門学校等や企業は、上記した資料を、高等学校の教師等の資料請求を受けた場合、あるいは、自発的に、封筒に封緘して様々な高等学校等に送付する。
また、高等学校の教師等は、専門学校等や企業から封筒を受け取ると、封筒を開封し、資料の内容を確認する。その後、高等学校の教師等は、自校の生徒から就職や進学などの進路相談を受けた場合に備えて、封筒内部の資料のみを保管する。
高等学校の教師等は、様々な専門学校等や企業から資料を受け取ることになるので、保管する資料は膨大な量となる。そのため、高等学校の教師等は、資料を段ボール箱内部に山積みにしたり、本棚等に立て掛けたりして保管することが多い。
【先行技術文献】
【特許文献】
【０００４】
【特許文献１】特開２０１３−４９２１８号公報
【考案の概要】
【考案が解決しようとする課題】
【０００５】
ところで、上記したパンフレット等の資料は、高等学校の教師等に自校や自社の特徴や利点をわかりやすく、且つ、簡潔に知らしめるために、数ページから数十ページ程度に要点を圧縮して掲載している。すなわち、資料の厚みが薄くなるので、上記したような保管方法の場合、外観からはどこの専門学校等のパンフレットであるかを判別しにくい。特に段ボールの内部に保管した場合には、殆どの資料が重なった状態で配されるため、資料の大部分が他の資料によって隠れてしまい、より判別しにくくなる。
そのため、高等学校の教師等は、自校の生徒から進路相談を受けて、自校の生徒と進路を話し合い、最適な専門学校等や企業を提案する際には、いちいち段ボール箱等から取り出して探さなければならない。それ故に、高等学校の教師等にとって、この確認動作が煩わしいという問題があった。
【０００６】
そこで、本考案は、封筒として使用できるとともに、一覧性を備えた閲覧用ファイルとして保管可能な封筒兼用ファイルを提供することを課題とする。
【課題を解決するための手段】
【０００７】
上記した課題を解決するための請求項１に記載の考案は、外形形状が長方形状の封筒兼用ファイルであって、本状又は紙状の被収納物を封緘可能な封筒兼用ファイルにおいて、２つの主面を形成する表面部及び裏面部と、側面を形成する側面部を有し、前記表面部は、宛先ラベルを貼り付け可能であり、前記側面部に被収納物に関する情報を表示可能であり、表面部又は裏面部の少なくとも一方に送付者に関する情報を記載可能であることを特徴とする封筒兼用ファイルである。
【０００８】
本考案の構成によれば、前記表面部は、宛先ラベルを貼り付け可能であるため、封筒として使用する際には、被収納物を封緘し、表面部に宛先ラベルを貼り付けて、メール便等の送付手段によって送付することができる。
また、本考案の構成によれば、表面部又は裏面部の少なくとも一方に送付者に関する情報を記載可能であるため、本考案の封筒兼用ファイルを受け取った者（受領者）は、表面部又は裏面部を見るだけで送付者に関する情報を認識することができる。
本考案の構成によれば、前記側面部に被収納物に関する情報を表示可能であり、表面部又は裏面部の少なくとも一方に送付者に関する情報を記載可能である。
そのため、受領者が閲覧用ファイルとして使用する場合には、側面部に被収納物に関する情報を表示させることによって、複数の書類とともに本棚に立て掛けた場合や箱等において保管した場合であっても、受領者は側面部を見ることによって被収納物に関する情報を確認することができる。言い換えると、封筒兼用ファイルを本棚等から取り出さずとも、封筒兼用ファイルの内容が確認できる。
このように、本考案の封筒兼用ファイルによれば、封筒として使用することができ、さらに、保管時においても、側面部に被収納物に関する情報を表示することで、受領者は、当該側面部を見て、被収納物の内容を識別しやすく、一覧性が高い。
【０００９】
請求項２に記載の考案は、前記被収納物を内包可能な収納部と、前記収納部と連続する蓋部を有し、前記蓋部は、封緘する際に、収納部の内部を閉鎖するものであり、前記蓋部は、容易に破断可能な開封部と、収納部に接着可能な接着部を有し、前記開封部は、前記収納部と前記接着部との間に位置しており、かつ、基端から先端に向かう方向に対して交差する方向に蓋部全体を横切っていることを特徴とする請求項１に記載の封筒兼用ファイルである。
【００１０】
本考案の構成によれば、蓋部は、収納部に接着可能な接着部を備えている。すなわち、封筒として使用するために封緘する場合には、接着部を収納部と接着させることによって、糊等の接着剤を塗布せずとも、収納部の内部の被収納物を内包することが可能である。  また、本考案の構成によれば、開封部は、収納部と接着部との間に位置しており、かつ、蓋部全体を横切っている。そのため、送付手段から受け取って開封する際に、蓋部全体を横切った開封部を切り離すことによって、接着部とは関係なく容易に開封することができるので、ハサミ等を使わずとも容易に開封することができる。
【００１１】
請求項３に記載の考案は、前記収納部は、前記表面部の一部又は全部を形成する表面側形成部と、当該表面側形成部と対面する裏面側形成部を有し、表面側形成部と裏面側形成部の少なくとも３辺の大部分を接続する接続壁部を有していることを特徴とする請求項２に記載の封筒兼用ファイルである。
【００１２】
本考案の構成によれば、表面側形成部と裏面側形成部の少なくとも３辺の大部分を接続する接続壁部を有している。すなわち、接続壁部の剛性によって収納部の形状を保持することができるため、被収納物の出し入れが容易である。
【００１３】
請求項４に記載の考案は、前記開封部を破断した際に、前記裏面側形成部は、蓋部の当該破断部位と係合可能な係合片を有していることを特徴とする請求項３に記載の封筒兼用ファイルである。
【００１４】
本考案の構成によれば、前記開封部を破断した際に、前記裏面側形成部は、蓋部の当該破断部位と係合可能な係合片を有しているため、開封後も蓋部の破断部位と係合片を係合することによって、収納部を閉鎖した状態で固定できる。そのため、本棚等に立て掛けた際に形状が歪みにくく、たとえ本考案の封筒兼用ファイルが傾倒したとしても、収納部内の被収納物がなだれ落ちない。
【００１５】
請求項５に記載の考案は、前記裏面側形成部は、前記３辺以外の辺から中央に向かって切り欠いた切り欠き部を備えていることを特徴とする請求項３又は４に記載の封筒兼用ファイルである。
【００１６】
本考案の構成によれば、前記裏面側形成部は、前記３辺以外の辺から中央に向かって切り欠いた切り欠き部を備えているため、開封時において、切り欠き部から収納部の内部の状態を視認でき、収納部から被収納物を取り出さずとも被収納物の内容を確認できる。
【００１７】
請求項６に記載の考案は、外形形状が長方形状の封筒兼用ファイルであって、本状又は紙状の被収納物を封緘可能な封筒兼用ファイルにおいて、２つの主面を形成する表面部及び裏面部と、側面を形成する側面部を有し、前記表面部は、宛先ラベルを貼り付け可能であり、側面部に被収納物に関する情報を記載されており、表面部又は裏面部の少なくとも一方に送付者に関する情報を記載されており、前記被収納物を内包可能な収納部と、前記収納部と連続する蓋部を有し、前記蓋部は、封緘する際に、収納部の内部を閉鎖するものであって、容易に破断可能な開封部と、収納部に接着する両面テープを有し、前記開封部は、前記収納部と前記両面テープとの間に位置しており、かつ、基端から先端に向かう方向に対して直交する方向に蓋部全体を横切っており、前記収納部は、前記表面部の一部又は全部を形成する表面側形成部と、当該表面側形成部と対面する裏面側形成部を有し、表面側形成部と裏面側形成部の少なくとも３辺の大部分を接続する接続壁部を有しており、前記裏面側形成部は、前記開封部を破断した際に、蓋部の当該破断部位と係合可能な係合片を有しており、さらに前記３辺以外の辺から中央に向かって切り欠いた切り欠き部を備えている封筒兼用ファイルである。
【００１８】
本考案の構成によれば、封筒として使用することができ、その受領者も被収納物の内容について容易に確認することができる。
【考案の効果】
【００１９】
本考案の封筒兼用ファイルによれば、封筒として使用できるとともに、側面部に被収納物に関する情報を表示することによって、一覧性を備えた閲覧用ファイルとして保管可能である。
【図面の簡単な説明】
【００２０】
【図１】本考案の第１実施形態における封筒兼用ファイルの斜視図である。
【図２】図１の筒型閲覧ファイルを別の方向からみた斜視図である。
【図３】図１の封筒兼用ファイルの展開図である。
【図４】図２の封筒兼用ファイルに書類を入れた状態を表す斜視図である。
【図５】図２の封筒兼用ファイルから開封部を切り離す際の状態を表す斜視図である。
【図６】図２の封筒兼用ファイルを保管する際の状態を表す斜視図である。
【図７】本考案の封筒兼用ファイルの使用状況を表す説明図である。
【図８】本考案の封筒兼用ファイルの他の使用状況を表す説明図である。
【図９】本考案の他の実施形態における封筒兼用ファイルの斜視図である。
【考案を実施するための形態】
【００２１】
以下に、本考案の第１実施形態について説明する。
なお、以下の説明において、特に断りがない限り、上下左右の位置関係は、通常の設置位置（図１）を基準に説明する。
【００２２】
本考案の第１実施形態に係る封筒兼用ファイル１は、被収納物１０１を封緘してメール便等の送付手段によって送付希望者に送付可能となっている。
また、封筒兼用ファイル１は、段ボール箱１００等の内部に収納可能であり、その内部に立て掛けて保管することが可能となっている。
【００２３】
封筒兼用ファイル１は、図２，図３から読み取れるように１枚の厚紙を折り曲げ加工をして形成されるものであり、組み立てた際に外形形状が長方形状となっている。
本実施形態では、厚み０．３ｍｍ〜１．５ｍｍの厚紙を使用している。
封筒兼用ファイル１は、図４のように収納部２と、蓋部３（裏面部）から形成されている。
収納部２は、図４のように被収納物１０１を内包可能な箱状の部位である。
収納部２は、図１，図２，図４から読み取れるように天面形成部４（側面部）と、底面形成部５（接続壁部）と、表面側形成部６（表面部）と、側面部７（接続壁部）と、側面部８（接続壁部）と、裏面側形成部１０から形成されている。
【００２４】
天面形成部４は、図７のように、封筒兼用ファイル１を段ボール箱１００に収納したときに、天面を形成する部位であり、図２，図３から読み取れるように表面側形成部６と蓋部３を接続する部位でもある。
天面形成部４は、図２に示されるように、被収納物１０１に関する情報等を表示可能な表示部１４を有している。表示部１４は、具体的には、長方形状のラベルであり、筆記具等によって、使用者が被収納物１０１に関する情報等を記載することが可能となっている。
天面形成部４の幅は、被収納物１０１の厚みによって適宜設計されるが、８ｍｍ〜１０ｍｍであることが好ましい。
【００２５】
底面形成部５は、図７のように封筒兼用ファイル１を段ボール箱１００に収納したときに、底面を形成する部位である。
【００２６】
表面側形成部６は、図１のように底面形成部５の前方端部から上方に向かって立設された部位であり、略中央にラベル部１１を有している。ラベル部１１は、公知の宛先ラベルを貼り付け可能となっている。
【００２７】
側面部７と側面部８は、図１，図２から読み取れるように、底面形成部５の左右端部から上方に向かって立設された部位である。側面部７と側面部８は、図３のように、収納部２の側面を形成する側面形成部１２，１３と、側面形成部１２，１３の端部から連続して張り出した糊代片１５，１６から形成されている。
糊代片１５，１６は、公知の接着剤等の糊代として機能する部位である。糊代片１５，１６は、張出方向基端（側面形成部１２，１３側）から先端にかけて徐々に上下方向の高さが小さくなっている。
【００２８】
裏面側形成部１０は、図４のように、底面形成部５の後方端部から上方に向かって立設された部位であり、蓋部３と係合可能な係合片１７を有している。
係合片１７は、弧が上方を向いた略円弧状の切り欠きである。言い換えると、係合片１７は、裏面側形成部１０の他の部位に片持ち状に接続された係止片とも言える。
また、裏面側形成部１０は、長方形状であり、一辺の中間部から中央に向かって切り欠かれた切り欠き部２５を有している。
切り欠き部２５は、等脚台形状の切り欠きであり、その下底が辺と連続しており、その上底が中央側に位置している。
【００２９】
蓋部３は、図２，図３から読み取れるように収納部２に収納した被収納物１０１を閉鎖する部位である。
蓋部３は、図２，図４から読み取れるように、長方形状であって、接着部１８と、開封部２０と、情報表示部２６を有している。
蓋部３は、天面形成部４の一辺と連続し、天面形成部４から下方に向けて折り曲げられて使用される部位であり、長方形状の部位である。
【００３０】
接着部１８は、公知の両面テープ等の接着テープを貼り付ける部位である。
接着部１８は、図４のように蓋部３の内側面（収納部２側の面）であって、蓋部３の延伸方向先端近傍に設けられている。
接着部１８は、左右方向に延びており、蓋部３のほぼ全体に亘って形成されている。
【００３１】
開封部２０は、接着部１８を裏面側形成部１０に接着することによって形成された閉鎖状態を開封する部位である。
開封部２０は、容易に破断可能な部位であり、ミシン目状の２本の開口が平行に並ぶことによって縁が形成されている。
開封部２０は、蓋部３の基端（天面形成部４側）から先端に向かう方向に対して交差する方向に蓋部３全体を横切っている。本実施形態では、開封部２０は、直交方向に蓋部３全体を横切っている。
【００３２】
情報表示部２６は、送付者に関する情報を表示する部位である。
【００３３】
ここで、蓋部３の各部位の位置関係について注目すると、
接着部１８は、蓋部３の先端部近傍に設けられており、開封部２０は、接着部１８よりも基端側に形成されており、情報表示部２６は、開封部２０のさらに基端側に形成されている。
【００３４】
被収納物１０１は、公知のパンフレットなどであり、紙状体又は本状体となっている。
被収納物１０１のサイズは、最大Ａ４程度となっている。
【００３５】
続いて、封筒兼用ファイル１の各部位の位置関係について説明する。
収納部２において、側面部７の糊代片１５は、公知の接着剤によって、裏面側形成部１０の左側端部に接着されており、側面部８の糊代片１５は、公知の接着剤によって、裏面側形成部１０の右側端部に接着されている。
すなわち、底面形成部５と、表面側形成部６と、側面形成部１２，１３と、裏面側形成部１０とによって、上方に向けて開放した収納空間２３が形成されている。
【００３６】
表面側形成部６と裏面側形成部１０は、収納空間２３を介して対面しており、それぞれの３辺が底面形成部５と側面形成部１２，１３によって接続されている。すなわち、裏面側形成部１０の切り欠き部２５は、これらが接続する３辺以外の辺に形成されていることとなる。
【００３７】
続いて、送付希望者（受領者）に送付する際の封筒兼用ファイル１の組み立て手順に沿って説明する。
【００３８】
まず、収納部２の収納空間２３に被収納物１０１を挿入し、蓋部３の接着部１８を収納部２の裏面側形成部１０の下端部に接着する。そして、ラベル部１１に送付状等を添付して、メール便等によって送付希望者に送付する。
【００３９】
続いて、送付された封筒兼用ファイル１の開封方法及び保管方法の好ましい例について説明する。
【００４０】
上記したように封筒兼用ファイル１は、蓋部３の接着部１８によって、収納部２に収納された被収納物１０１を封止した状態で送付希望者に受け取られる。
【００４１】
送付希望者（受領者）は、図５のように受け取った封筒兼用ファイル１の開封部２０をミシン目に沿って切り離すと、蓋部３は開封部２０によって、２つに分断される。すなわち、蓋部３は、接着部１８によって裏面側形成部１０と一体となった接着片２１と、天面形成部４と連続する残りの部位たる蓋本体２２とに分断される。
蓋本体２２は、図４から明らかなように、天面形成部４の１辺だけによって支持されており、蓋本体２２を後方に反らすことによって、収納部２の収納空間２３が開放される。そのため、送付希望者は、収納部２の収納空間２３に被収納物１０１を出し入れすることが可能となる。また、蓋本体２２を天面形成部４と同一平面上に延ばすことによって、切り欠き部２５を介して、収納部２内の状況が視認可能となっている。
【００４２】
また、送付希望者が、図７のように封筒兼用ファイル１を段ボール箱１００に入れて保管する場合には、図６のように蓋本体２２の先端部（破断部位）を収納部２の係合片１７に係合し、収納部２の内部を封止する。
そして、その状態で、図７のように表示部１４が段ボール箱１００の開口から見えるように立てた姿勢で収納する。
【００４３】
本実施形態の封筒兼用ファイル１によれば、段ボール箱１００から表示部１４が露出するため、封筒兼用ファイル１を開封せずとも内容物を知ることができる。
【００４４】
上記した実施形態では、段ボール箱１００に封筒兼用ファイル１を収納したが、本考案はこれに限定されるものではなく、本棚１０２等に立て掛けてもよい。
この場合においても、図８のように表示部１４を露出するように立て掛けることによって、封筒兼用ファイル１を開封せずとも内容物を知ることができる。
【００４５】
上記した実施形態では、封緘時に裏面側に接着部１８及び開封部２０が位置するものであったが、本考案はこれに限定されるものではなく、接着部１８が開封部２０よりも先端側に位置すれば、接着部１８及び開封部２０の位置は限定されない。例えば、図９のように、蓋部３を底面形成部５の外側を回り込んで表面側で収納部２と接着してもよい。具体的には、表面側形成部６側（表面側）に接着部１８が配されて、開封部２０が底面形成部５と対面するように配されていてもよい。
【００４６】
上記した実施形態では、封緘時に封筒兼用ファイル１の一方の主面を形成する蓋部３に情報表示部２６を形成したが、本考案はこれに限定されるものではなく、封筒兼用ファイル１の他方の主面を形成する表面側形成部６に情報表示部２６を形成してもよい。また、蓋部３及び表面側形成部６の双方に情報表示部２６を形成してもよい。
【００４７】
上記した実施形態では、封緘時に封筒兼用ファイル１の他方の主面を形成する表面側形成部６にラベル部１１を設けたが、本考案はこれに限定されるものではなく、封筒兼用ファイル１の一方の主面を形成する蓋部３にラベル部１１を設けてもよい。
【００４８】
上記した実施形態では、表示部１４を天面形成部４に設けたが、本考案はこれに限定されるものではなく、収納したときに背文字としての機能を有していればよい。すなわち、封筒兼用ファイル１の側面を形成する側面形成部１２，１３や底面形成部５に表示部１４を設けてもよい。
【００４９】
上記した実施形態では、封筒兼用ファイル１の大部分を一枚の厚紙によって形成したが、本考案はこれに限定されるものではなく、封筒兼用ファイル１を立て掛けたとき、撓まない程度の剛性を有していれば材質は問わない。例えば、プラスチック製であってもよい。
【符号の説明】
【００５０】
１  封筒兼用ファイル
２  収納部
３  蓋部（裏面部）
４  天面形成部（側面部）
５  底面形成部（接続壁部）
６  表面側形成部（表面部）
１０  裏面側形成部
１１  ラベル部
１２  側面形成部（接続壁部）
１３  側面形成部（接続壁部）
１４  表示部
１７  係合片
１８  接着部
２０  開封部
２１  接着片
２２  蓋本体
２３  収納空間
２５  切り欠き部
２６  情報表示部
１０１  被収納物
0003185375.tif 000003
【手続補正書】
【提出日】平成25年6月12日(2013.6.12)
【手続補正１】
【補正対象書類名】図面
【補正対象項目名】全図
【補正方法】変更
【補正の内容】
【図１】
0003185375.tif 000004
【図２】
0003185375.tif 000005
【図３】
0003185375.tif 000006
【図４】
0003185375.tif 000007
【図５】
0003185375.tif 000008
【図６】
0003185375.tif 000009
【図７】
0003185375.tif 000010
【図８】
0003185375.tif 000011
【図９】
0003185375.tif 000012